(57)【要約】【課題】  財布などにクレジットカードやキャッシュカードなどと共に気軽にいつでも持ち歩くことができ、記憶していた暗証番号を忘れたとしても、そのユーザ本人だけが正しい暗証番号をいつでも確認することができる暗証番号確認用カードを提供する。【解決手段】  暗証番号を表示させる表示部と、ユーザの指紋データが登録された第１のメモリと、ユーザの暗証番号が登録された第２のメモリと、ユーザの指紋データを読み取る指紋センサーと、前記指紋センサーで読み取られた指紋データと、前記第１のメモリに登録された指紋データとを照合する指紋データ照合部と、前記指紋データ照合部での照合結果が一致した場合に、第２のメモリに登録された暗証番号を前記表示部に表示させる制御部と、電源を供給する電池と、を備えたことを特徴とする。【選択図】        図２
2005222095.tif 000002
【特許請求の範囲】
【請求項１】
暗証番号を表示させる表示部と、
ユーザの指紋データが登録された第１のメモリと、
ユーザの暗証番号が登録された第２のメモリと、
ユーザの指紋データを読み取る指紋センサーと、
前記指紋センサーで読み取られた指紋データと、前記第１のメモリに登録された指紋データとを照合する指紋データ照合部と、
前記指紋データ照合部での照合結果が一致した場合に、第２のメモリに登録された暗証番号を前記表示部に表示させる制御部と、
電源を供給する電池と、
を備えたことを特徴とする暗証番号確認用カード。
【発明の詳細な説明】
【技術分野】
【０００１】
本発明は、例えばクレジットカードやキャッシュカードなどを利用する際に、本人認証用として使用する暗証番号を簡単に確認することができる暗証番号確認用カードに関する。
【背景技術】
【０００２】
従来、クレジットカードやキャッシュカードなどのカードをＡＴＭのカード挿入口から挿入して種々の処理を行う際には、ユーザが予め届け出て、ユーザデータベースに登録された暗証番号と同じ暗証番号をＡＴＭの入力手段から入力し、これらの暗証番号同士の照合処理を行う必要がある。
これらの照合処理で照合一致しない場合には、カード所有者本人と認められず、その後の処理も行われないようにしてある。
【０００３】
これらの暗証番号は、ユーザ本人以外の第三者に知られると不正行為が行われる危険性があり、ユーザ本人自身が記憶して、カードによる処理を行う際に記憶に基づいて暗証番号を思い出してＡＴＭの入力手段から暗証番号の入力を行うことになる。
記憶した暗証番号を忘れた場合には、本人認証を受けることが出ないことになる。
したがって、暗証番号の登録時に、できるだけ忘れることのない暗証番号として、ユーザ本人の誕生日や電話番号などに関係した番号を登録する傾向がある。
しかしながら、誕生日や電話番号などは、不正行為を行う第三者が調べて予想できる番号であり、セキュリティー上の問題があり、近年ではできるだけ誕生日や電話番号などとは関係のない、第三者が予想できないような番号を暗証番号として登録するように薦めている。
【０００４】
しかしながら、誕生日や電話番号などとは関係のない、第三者が予想できないような番号を暗証番号として定めた場合には、ユーザ自身がこれらの暗証番号を忘れてしまう可能性が高く不便であるという問題がある。
もしも暗証番号を忘れた場合には、カード発行元の会社などに対して、間違いなく本人であることを証明する書類などを提出して、登録してある暗証番号を聞くことになるが、そのためには時間や手間がかかり、急いでカードを用いた処理を行いたい時には特に困ることになる。
【０００５】
また、暗証番号を紙にメモしておいたり、各種の記憶装置に記憶させておいた場合には、第三者に盗み読みされる危険性があるという問題がある。
これらのことから、従来技術として音声データを照会して本人であることを確認し、記憶させておいた暗証番号を表示させることで、忘れた暗証番号を知ることができるようにした装置が公知となっている。（例えば、特許文献１参照）
しかしながら、音声での照合は、本人が風邪を引いて声が変わった場合には、照合が不一致となることがあり照合精度上の問題がある。
更に、音声照合による暗証番号照会装置では、装置が大がかりとなり、財布などにクレジットカードやキャッシュカードなどと共に気軽にいつでも持ち歩くことができず、何時でも対応することができないという不便がある。
【特許文献１】特開平５−６４８１
【発明の開示】
【発明が解決しようとする課題】
【０００６】
本発明は、財布などにクレジットカードやキャッシュカードなどと共に気軽にいつでも持ち歩くことができ、記憶していた暗証番号を忘れたとしても、そのユーザ本人だけが正しい暗証番号をいつでも確認することができる暗証番号確認用カードを提供する。
【課題を解決するための手段】
【０００７】
本発明の暗証番号確認用カードは、暗証番号を表示させる表示部と、ユーザの指紋データが登録された第１のメモリと、ユーザの暗証番号が登録された第２のメモリと、  ユーザの指紋データを読み取る指紋センサーと、前記指紋センサーで読み取られた指紋データと、前記第１のメモリに登録された指紋データとを照合する指紋データ照合部と、  前記指紋データ照合部での照合結果が一致した場合に、第２のメモリに登録された暗証番号を前記表示部に表示させる制御部と、電源を供給する電池と、を備えたことを特徴とする。
【発明の効果】
【０００８】
本発明の暗証番号確認用カードは、カード形状であるので、ユーザが財布などにクレジットカードやキャッシュカードなどと共に気軽にいつでも持ち歩くことができ、また、指紋データにより本人照合を行うので、カードに記憶されている暗証番号を第三者が勝手に盗み見ることを防止してセキュリティー上の安全性を有し、ユーザが暗証番号を知りたい時に何時でも確認することができるという効果がある。
【発明を実施するための最良の形態】
【０００９】
以下、図面を参照しながら本発明の実施形態を詳述する。
図１は、本発明の第１実施形態に係る暗証番号確認用カードの外観の平面図、図２は、本発明の第１実施形態に係る暗証番号確認用カードのシステムブロック図、図３は、本発明の第１実施形態に係る暗証番号確認用カードの処理手順を示すフローチャート、図４は、本発明の第２実施形態に係る暗証番号確認用カードの外観の平面図、図５は、本発明の第２実施形態に係る暗証番号確認用カードのシステムブロック図、図６は、本発明の第２実施形態に係る暗証番号確認用カードにおける暗証番号を登録する場合の処理手順を示すフローチャート、図７は、本発明の第２実施形態に係る暗証番号確認用カードにおける暗証番号を確認する場合の処理手順を示すフローチャートである。
【００１０】
まず、本発明の第１実施形態に係る暗証番号確認用カード１について説明する。
本発明の第１実施形態に係る暗証番号確認用カード１は、図１に示すようにクレジットカードやキャッシュカードと同等の外形形状を有している。
暗証番号確認用カード１の表面側には、ユーザが目視で暗証番号の確認を行えるように暗証番号を表示させる液晶表示部２と、ユーザ認証を行う際にユーザ本人の指を押し当てて指紋データを読み取る指紋センサー３と、電源を供給する電池のスイッチ４とが備えられている。
尚、液晶表示部２は、液晶以外の構成を有する表示部であってもよく、液晶に限定されるものではない。
【００１１】
また、暗証番号確認用カード１の内部には、図２に示すように、電源である電池５と、指紋センサー３で読み取られたユーザの指紋データの画像処理を行う画像処理部６と、ユーザの指紋データが登録された第１のメモリ７ａと、ユーザの暗証番号が登録された第２のメモリ７ｂと、制御用プログラムなどが記憶された第２のメモリ７ｃとを有する記憶部７と、指紋センサー３で読み取られ画像処理部６で処理された指紋データと、第１のメモリ７ａに予め登録されている指紋データとを照合処理する指紋データ照合部８と、制御用プログラムに基づいて処理を行う制御部９とを有している。
尚、電池５は、太陽電池を使用してもよい。
暗証番号確認用カード１による暗証番号を確認するための処理手順は、記憶部７に記憶されている制御用プログラムに基づき、順次処理されるようにしてある。
これらの画像処理部６、記憶部７、指紋データ照合部８、制御部９は、暗証番号確認用カード１の内部に備えられたＩＣチップにより処理される。
【００１２】
暗証番号確認用カード１は、例えばクレジットカードやキャッシュカードなどの暗証番号を使用して本人認証を行うカードシステムを採用しているカード発行者が、カード使用者に対するサービスとして発行することが好ましい。
つまり、暗証番号確認用カード１をカード使用者が所持することで、カード使用者の利便性が向上するだけではなく、カード発行会社にとっても、暗証番号を忘れたユーザからの対応処理に追われることがなくなるという事務効率上の効果もあるからである。
【００１３】
次に、本発明の第１実施形態に係る暗証番号確認用カード１の処理手順を、図３に示すフローチャートに基づいて説明する。
まず、暗証番号確認用カード１の使用者は、スイッチ４をＯＮの状態にする。（ステップＳ１）
そして、指紋センサー３に使用者の指を押し当てて、指紋センサー３で指紋を読み取る。（ステップＳ２）
指紋センサー３で読み取られた指紋は、画像処理部６で指紋データとして処理されて、記憶部７に記憶される。（ステップＳ３）
【００１４】
次に、指紋データ照合部８により、記憶部７の第１のメモリ７ａに予め登録されている指紋データと、指紋センサー３から読み取られて記憶部７に記憶された指紋データとが照合処理される。（ステップＳ４）
この指紋データ照合部８での照合処理の結果において（ステップＳ５）、照合一致した場合には、記憶部７の第２のメモリ７ｂに登録されている暗証番号が液晶表示部２に表示される。（ステップＳ６）
また、指紋データ照合部８での照合の結果において、照合不一致となった場合には、液晶表示部２には何も表示されないで、そのまま終了する。
【００１５】
以上の処理により、使用者の指紋照合で一致した者だけが、予め暗証番号確認用カード１に登録されている暗証番号を液晶表示部２に表示させて確認することができるようにしてあるので、たとえ第三者が不正にこの暗証番号確認用カード１を使用して、暗証番号を調べようとしても指紋照合で不一致となり暗証番号が盗み見られることを防止できるようにしてある。
【００１６】
次に、本発明の第２実施形態に係る暗証番号確認用カード１０について説明する。
本発明の第２実施形態に係る暗証番号確認用カード１０は、図４に示すように表面側には、ユーザが目視で暗証番号の確認を行えるように暗証番号を表示させる液晶表示部２と、ユーザ認証を行う際にユーザ本人の指を押し当てて指紋データを読み取る指紋センサー３と、電源を供給する電池のスイッチ４と、暗証番号を入力する際に用いられる入力用テンキー１１と、液晶表示部２に表示された暗証番号を順次他の暗証番号に切り換えるための表示送りキー１２と、入力用テンキー１１から入力された暗証番号を記憶部７に記憶させるための登録キー１３とが備えられている。
【００１７】
また、暗証番号確認用カード１０の内部には、図５に示すように、電源である電池５と、指紋センサー３で読み取られたユーザの指紋データの画像処理を行う画像処理部６と、ユーザの指紋データが登録された第１のメモリ７ａと、入力用テンキー１１からユーザが入力した暗証番号を登録する第２のメモリ７ｂと、制御用プログラムなどが記憶された第２のメモリ７ｃとを有する記憶部７と、指紋センサー３で読み取られ画像処理部６で処理された指紋データと、第１のメモリ７ａに予め登録されている指紋データとを照合処理する指紋データ照合部８と、制御用プログラムに基づいて処理を行う制御部９とを有している。
【００１８】
尚、第２のメモリ７ｂは、入力用テンキー１１からユーザが入力した複数種類の暗証番号を登録できるような記憶領域が用意されている。
暗証番号確認用カード１０による暗証番号を確認するための処理手順は、記憶部７に記憶されている制御用プログラムに基づき、順次処理される。
これらの画像処理部６、記憶部７、指紋データ照合部８、制御部９は、暗証番号確認用カード１の内部に備えられたＩＣチップにより処理される。
【００１９】
本発明の第２実施形態に係る暗証番号確認用カード１０は、ユーザが入力用テンキー１１を使用して、自由に複数種類の暗証番号を入力した後、指紋情報も照合を行うことで、入力された暗証番号が記憶部７に登録可能に構成されている。
そして、記憶部７に登録された複数種類の暗証番号については、表示送りキー１２を押すことで順次に液晶表示部２に表示させることができるように構成されている。
【００２０】
次に、本発明の第２実施形態に係る暗証番号確認用カード１０の処理手順を、図６及び図７に示すフローチャートに基づいて説明する。
まず、図６に基づいて、暗証番号を登録する場合の手順を説明する。
まず、暗証番号確認用カード１０の使用者は、スイッチ４をＯＮの状態にする。（ステップＳ１０）
次に、登録キー１３を押して登録可能な状態にする。（ステップＳ１１）
【００２１】
次に、使用者が入力用テンキー１１を操作して、登録させておきたいと思う暗証番号の入力を行い、確定キーを押して確定させる。（ステップＳ１２）
入力用テンキー１１による入力の後に、指紋センサー上に指をおき、メモリ内の指紋情報と照合させて一致すれば、暗証番号を記憶部７に登録する。（ステップＳ１３）
これらの暗証番号は、使用者の希望により複数種類登録させることができる。
【００２２】
次に、暗証番号を確認する場合を、図７に示すフローチャートに基づいて説明する。
まず、暗証番号確認用カード１０の使用者は、スイッチ４をＯＮの状態にする。（ステップＳ２０）
そして、指紋センサー３に使用者の指を押し当てて、指紋センサー３で指紋を読み取る。（ステップＳ２１）
指紋データ照合部８により、記憶部７の第１のメモリ７ａに予め登録されている指紋データと、指紋センサー３から読み取られて記憶部７に記憶された指紋データとが照合処理される。（ステップＳ２２）
【００２３】
この指紋データ照合部８での照合処理の結果において（ステップＳ２２）、照合一致した場合には、記憶部７の第２のメモリ７ｂに登録されている暗証番号が、液晶表示部２に表示される。（ステップＳ２３）
液晶表示部２に表示された暗証番号は、表示送りキー１２を押すことで、記憶部７に登録させた複数の暗証番号を順次切り換えて表示できる。
また、指紋データ照合部８での照合の結果において、照合不一致となった場合には、液晶表示部２には何も表示されないで、そのまま終了する。
【００２４】
以上の処理により、本発明の第２実施形態に係る暗証番号確認用カード１０においては、使用者が自由に暗証番号の登録を行い、そして、指紋照合で一致した者だけが登録させた暗証番号を液晶表示部２に表示させて確認することができるようにしてあるので、たとえ第三者が不正にこの暗証番号確認用カード２を使用して、暗証番号を調べようとしても指紋照合で不一致となり暗証番号が盗み見られることを防止できるようにしてある。
【図面の簡単な説明】
【００２５】
【図１】本発明の実施形態に係る暗証番号確認用カードの外観の平面図である。
【図２】本発明の実施形態に係る暗証番号確認用カードのシステムブロック図である。
【図３】本発明の実施形態に係る暗証番号確認用カードの処理手順を示すフローチャートである。
【図４】本発明の第２実施形態に係る暗証番号確認用カードの外観の平面図である。
【図５】本発明の第２実施形態に係る暗証番号確認用カードのシステムブロック図である。
【図６】本発明の第２実施形態に係る暗証番号確認用カードにおける暗証番号を登録する場合の処理手順を示すフローチャートである。
【図７】本発明の第２実施形態に係る暗証番号確認用カードにおける暗証番号を確認する場合の処理手順を示すフローチャートである。
【符号の説明】
【００２６】
１  暗証番号確認用カード
２  液晶表示部
３  指紋センサー
４  スイッチ
５  電池
６  画像処理部
７  記憶部
７ａ  第１のメモリ
７ｂ  第２のメモリ
８  指紋データ照合部
９  制御部
１１  入力用テンキー
１２  表示送りキー
１３  登録キー
【図１】
2005222095.tif 000003
【図２】
2005222095.tif 000004
【図３】
2005222095.tif 000005
【図４】
2005222095.tif 000006
【図５】
2005222095.tif 000007
【図６】
2005222095.tif 000008
【図７】
2005222095.tif 000009